(57)【要約】【課題】紙幣の偽造を防止すること【解決手段】  紙幣および同等品のようなセキュリティドキュメントと共に使用するための、金属で形成された偽造防止像（１４）が提供される。本発明の像（１４）は金属インクプリント、フォイル転写またはホットスタンピング技術を使って巧妙に模造するのが（不可能ではないにしても）困難である。少なくとも１つの、かかる金属で形成された像（１４）を使用するセキュリティデバイス（１０）および表面に少なくとも１つの金属で形成された像（１４）を有し、および／または内部に少なくとも一部が取り付けられるか、または上部に取り付けらた少なくとも１つのセキュリティデバイス（１０）を有するセキュリティドキュメントも提供される。【選択図】図１
2007531650.tif 000002
【特許請求の範囲】
【請求項１】
紙幣のようなセキュリティドキュメントの表面上、またはセキュリティドキュメントの上またはその内部で使用されるキャリア基板の表面上で使用するのに適した、金属で形成された偽造防止像であって、
前記金属で形成された像は金属領域と無金属領域とが交互に位置する、１つ以上の微細に分解される可視パターンを含み、金属インクプリント、フォイル転写またはホットスタンピング技術を使って、金属で形成された像を模造すると、インクまたはフォイルが架橋し、および／または１つ以上の可視パターンの金属領域の少なくとも一部の部分からインクまたはフォイルが失われ、模造した像の部分が不明瞭となる、金属で形成された偽造防止像。
【請求項２】
金属領域と無金属領域とが交互に位置する１つ以上の前記可視パターンが、ライン、ドット、渦巻きまたはそれらの組み合わせの形態となっている、請求項１記載の金属で形成された偽造防止像。
【請求項３】
１つ以上の可視パターンが交互に位置する金属ラインと、無金属ラインとを備え、無金属ラインは、約０.０５〜約０.１０ｍｍの幅、および１ｍｍ当たり約４本〜約１４本のラインの頻度を有する、請求項２記載の金属で形成された偽造防止像。
【請求項４】
１つ以上の可視パターンが、交互に位置する金属ラインと、無金属ラインとを備え、無金属ラインは、約０.０６〜約０.０７ｍｍの幅、および１ｍｍ当たり約５本〜約６本のラインの幅の頻度を有する、請求項３記載の金属で形成された偽造防止像。
【請求項５】
金属の境界によって構成されたネガ像、すなわち反転像のキャラクターを備え、これらキャラクターがこれらの内部に混入された、交互に位置する金属領域と無金属領域の１つ以上の、微細に分解される可視パターンを有する、請求項１記載の金属で形成された偽造防止像。
【請求項６】
金属領域と無金属領域とが交互に位置する１つ以上の細かく分解される可視パターンにより形成されたポジキャラクターを含む、請求項１記載の金属で形成された偽造防止像。
【請求項７】
金属で形成された像の１つ以上の微細に分解される可視パターンの金属領域が、アルミ、クロム、コバルト、銅、金、鉄、ニッケル、銀およびそれらの合金の群から選択された、１つ以上の金属を使用して形成された、請求項１記載の金属で形成された偽造防止像。
【請求項８】
アルミを使って金属ラインを形成した、請求項７記載の金属で形成された偽造防止像。
【請求項９】
対向する平面状の表面を有するキャリア基板と、該基板の少なくとも一方の表面に位置する、金属で形成された少なくとも１つの偽造防止像とを備えたセキュリティデバイスであって、前記金属で形成された像は金属領域と無金属領域とが交互に位置する、１つ以上の微細に分解される可視パターンを含み、金属インクプリント、フォイル転写またはホットスタンピング技術を使って、金属で形成された像を模造すると、インクまたはフォイルが架橋し、および／または１つ以上の可視パターンの金属領域の少なくとも一部の部分からインクまたはフォイルが失われ、模造した像の部分が不明瞭となる、セキュリティデバイス。
【請求項１０】
キャリア基板が、ポリエステル、ポリプロピレン、ポリエチレン、ポリエチレンテレフタレートおよびそれらの組み合わせの群から選択された基本的には無色の１つ以上のポリマーを使って形成された光透過性キャリア基板である、請求項９記載のセキュリティデバイス。
【請求項１１】
キャリア基板が、ポリエステルフィルムである、請求項１０記載のセキュリティデバイス。
【請求項１２】
キャリア基板が、カラーのキャリア基板である、請求項９記載のセキュリティデバイス。
【請求項１３】
キャリア基板が、ルミネッセンスのキャリア基板である、請求項９記載のセキュリティデバイス。
【請求項１４】
キャリア基板が、１つ以上の光学的マークを含む、請求項９記載のセキュリティデバイス。
【請求項１５】
対向する平面状の表面を有するキャリア基板と、該基板の１つの表面に位置する、金属で形成された少なくとも１つの偽造防止像と、前記基板の反対の表面に形成されたホログラフィーレリーフパターンを備え、セキュリティストリップまたはスレッドの形態をした、請求項１４記載のセキュリティデバイス。
【請求項１６】
対向する平面状の表面を有するキャリア基板と、該キャリア基板の少なくとも一方の表面に形成されたホログラフィーレリーフパターンと、該ホログラフィーレリーフパターンに位置する、金属で形成された少なくとも１つの偽造防止像とを備え、セキュリティストリップまたはスレッドの形態をした、請求項１４記載のセキュリティデバイス。
【請求項１７】
対向する平面状の表面を有するキャリア基板と、該基板の一方の表面に位置する、金属で形成された少なくとも１つの偽造防止像と、前記基板の反対の表面に位置するマイクロレンズの二次元アレイとを備えた、セキュリティストリップまたはスレッドの形態をした、請求項１４のセキュリティデバイス。
【請求項１８】
ある長さおよび幅を有するセキュリティストリップまたはスレッドの形態をしており、対向する平面状の表面を有するキャリア基板と、ストリップまたはスレッドの長手方向に沿って延びる複数の金属領域とを備え、前記金属領域がセキュリティストリップまたはスレッドの全幅にわたって延びる非金属領域によって分離されており、更に１つ以上の金属領域および／または１つ以上の非金属領域内に位置する金属で形成された少なくとも１つの偽造防止像とを備えた、請求項９記載のセキュリティデバイス。
【請求項１９】
少なくとも１つの外側保護層を更に備えた、請求項９記載のセキュリティデバイス。
【請求項２０】
対向する平面状の表面およびある幅を有するキャリア基板と、該基板の少なくとも１つの表面に位置する、金属で形成された少なくとも１つの偽造防止像とを備え、金属で形成された像が、交互に配置された金属領域と無金属領域との１つ以上の微細に分解される可視パターンを備えたセキュリティデバイスを調製するための方法であって、
ａ）前記キャリア基板の１つの表面に金属層を貼付するステップと、
ｂ）ｉ．前記金属で形成された少なくとも１つの偽造防止像が、金属の境界によって構成されたネガ像、すなわち反転像のキャラクターを備え、該キャラクターが、内部に金属領域と無金属領域が交互に位置する、１つ以上の微細に分解される可視パターンを有し、前記１つ以上の微細に分解される可視パターンのうちの無金属領域およびオプションとしての前記キャリア基板の幅にわたって延びる中断部、すなわち金属ブレークポイントを基板に形成すべき場所を除き、前記金属層をレジスト材料でコーティングするとき、および
ｉｉ．金属で形成される少なくとも１つの偽造防止像が、金属領域と無金属領域とが交互に位置する１つ以上の微細に分解される可視パターンによって形成されるポジキャラクターを含み、１つ以上の微細に分解される可視パターンの金属領域を基板に形成すべき領域だけで、金属層をレジスト材料でコーティングするときに、レジスト材料によって金属層をコーティングするステップと、
ｃ）前記レジスト層によって保護する部分を除く金属層を除去するように、プリントされた金属層に化学薬品を塗布するステップを備えた、セキュリティデバイスを調製するための方法。
【請求項２１】
セキュリティドキュメント上またはその内部に位置する、金属で形成された少なくとも１つの偽造防止像を有し、前記金属で形成された像は金属領域と無金属領域とが交互に位置する、１つ以上の微細に分解される可視パターンを含み、金属インクプリント、フォイル転写またはホットスタンピング技術を使って、金属で形成された像を模造すると、インクまたはフォイルが架橋し、および／または１つ以上の可視パターンの金属領域の少なくとも一部の部分からインクまたはフォイルが失われ、模造した像の部分が不明瞭となる、セキュリティドキュメント。
【請求項２２】
セキュリティドキュメントが、２つの対向する表面を有し、セキュリティドキュメントが少なくとも１つの表面に塗布された１つ以上の光学的マークと、１つ以上の前記光学的マークに形成された金属で形成された少なくとも１つの偽造防止像とを含む、請求項２１記載のセキュリティドキュメント。
【請求項２３】
前記１つ以上の光学的マークが、回折格子、ホログラム構造およびそれらの組み合わせの群から選択されたものである、請求項２２記載のセキュリティドキュメント。
【請求項２４】
前記１つ以上の光学的マークが、ホログラフィーフォイルである、請求項２３記載のセキュリティドキュメント。
【請求項２５】
内部に少なくとも一部が埋め込まれたか、または上部に取り付けられた、少なくとも１つのセキュリティデバイスを備え、少なくとも１つのセキュリティデバイスが、対向する平面状の表面を有するキャリア基板と、該キャリア基板の少なくとも１つの表面に位置する、金属で形成された少なくとも１つの偽造防止像とを備えた、請求項２１記載のセキュリティドキュメント。
【発明の詳細な説明】
【技術分野】
【０００１】
本願は、２００４年８月５日に出願された米国仮特許出願第60/559,583号に基づく優先権を主張するものである。
【０００２】
本発明は、一般的には、セキュリティドキュメント、例えば紙幣および同等品と共に使用するための、金属で形成された偽造防止像に関する。より詳細には、本発明は、金属性インク、フォイル転写または高温スタンピング技術を使って巧妙に模造することが（不可能ではないにしても）困難である、金属で形成された像に関する。少なくともかかる金属で形成された像を使用するセキュリティデバイスも、セキュリティドキュメントのように本発明の課題の一部と見なされ、これらセキュリティドキュメントはその表面に少なくとも１つの金属で形成された像を有するか、または内部に少なくとも一部が埋め込まれるか、または上部に取り付けられた少なくとも１つのセキュリティデバイスを有する。
【背景技術】
【０００３】
紙幣および高価値ドキュメントの信憑性を証明するための視覚的および／または機械的手段を提供するよう、これら紙幣およびその他の高価値ドキュメントではセキュリティスレッドが広く使用されている。幅が１.０ｍｍ〜５.０ｍｍの金属コーティングされたポリエステルストリップを一般に構成する際、これらスレッドは反射光および／または透過光内で容易に区別できるインデックスを形成するために、薬品によってエッチングされる。これらのドキュメントにはセキュリティスレッドが完全に埋め込んだり、または一部を埋め込むことができる。一部が埋め込まれたセキュリティスレッドを、製造中に紙内にこれらスレッドが埋め込むか、または一定の間隔で紙の表面まで浮き上がるようにする。これらいわゆるウィンドー付スレッドは、世界中の紙幣で見ることができるので、偽造実行者による模造のターゲットとなっている。実際に、紙幣業界では、偽造実行者は偽造物の表面に金属コーティングされたフォイルを貼付することにより、ウィンドー付セキュリティスレッドの表面部分を模造しようとすることが紙幣業界で一般に知られている。
【発明の開示】
【発明が解決しようとする課題】
【０００４】
かかる金属フォイル模造技術の１つは、意図するフォイルパターンを偽造物の表面にプリントするのに、従来のレーザープリンタを使用する。従来の接着剤を用いない、金属コーティングされた美的なフォイルをパターンに当て、加熱要素、例えば家庭のアイロンで加熱することができる。加熱すると、レーザープリンタのトナーは接着剤として働き、プリントされたパターンに従ってフォイルキャリアから金属層を剥離する。フォイルが偽造物の表面から引き離されるにつれ、フォイルのシルバー状金属表面がプリントされた領域だけに接着し、同時に簡単なテキストおよびパターンと、典型的な、金属コーティングが除去されたセキュリティスレッドの反射する外観を同時に再生できる。この技術はカラーシフトまたはホログラフィーのウィンドー付セキュリティスレッドを模造するのに、市販のカラーバリアブル、ノベルティフィルムを用いることにより、更に強化できる。
【０００５】
これとは異なり、偽造実行者が、所望するパターンに従ってホットスタンピングダイを製造し、従来のホットスタンプ材料および方法を用いてドキュメントをフォイルスタンプで偽造することも知られている。
【課題を解決するための手段】
【０００６】
本発明は、金属インク、フォイル転写またはホットスタンピング技術を使って巧妙に模造するのが（不可能ではないにしても）困難な、金属で形成された像を設けることにより、ウィンドー付紙幣においてセキュリティスレッドの外観をレプリケートする偽造実行者による現在行われている試みを行う気をなくさせたり、また偽造をする気をくじくようにすることができる。
【０００７】
本発明によれば、１つ以上のかかる金属で形成された像を使用するか、または表示する偽造防止セキュリティデバイスだけでなく、表面に位置する１つ以上の、かかる金属で形成された像を有するか、または内部に少なくとも一部が埋め込まれるか、または上部に取り付けられたかかる１つ以上のセキュリティデバイスを有するセキュリティドキュメントも提供される。
【０００８】
より詳細には、本発明は紙幣のようなセキュリティドキュメントの表面上、またはセキュリティドキュメントの上またはその内部で使用されるキャリア基板の表面上で使用するのに適した、金属で形成された偽造防止像であって、前記金属で形成された像は金属領域と無金属領域とが交互に位置する、１つ以上の微細に分解される可視パターンを含み、金属インクプリント、フォイル転写またはホットスタンピング技術を使って、金属で形成された像を模造すると、インクまたはフォイルが架橋し、および／または１つ以上の可視パターンの金属領域の少なくとも一部の部分からインクまたはフォイルが失われ、模造した像の部分が不明瞭となる、金属で形成された偽造防止像を提供するものである。
【０００９】
好ましい実施例では、可視パターンは、交互に位置する金属ラインと無金属ラインとを備え、無金属ラインの幅は、約０.０５〜約０.１０ｍｍのレンジであり、無金属ラインの頻度（frequency）は、１ｍｍ当たり約４本〜約１４本のラインである（すなわちライン頻度は、約０.０７〜約０.２５ｍｍに等しい）。
【００１０】
本発明は、対向する平面状の表面を有するキャリア基板と、該基板の少なくとも一方の表面に位置する金属で形成された少なくとも１つの上記偽造防止像とを備えた金属コーティングが除去された偽造防止セキュリティデバイスも提供するものである。
【００１１】
本発明は、いずれもすでに説明した、金属で形成された少なくとも１つの像および／または金属コーティングが除去された少なく１つの偽造防止セキュリティデバイスも更に提供するものである。
【００１２】
次の詳細な説明および添付図面から、当業者には本発明の上記以外の特徴および利点が明らかとなろう。特に記載しない限り、本明細書で使用するすべての科学技術用語は、本発明が属す技術の当業者により共通に理解されるのと同じ意味を有する。本明細書に記載のすべての刊行物、特許出願、特許およびそれ以外の参考例全体を、本願では参考例として援用する。コンフリクトが生じた場合、定義を含む本明細書が基準となる。更に本明細書に記載の材料、方法および例は、単なる説明のものにすぎず、発明を限定する意図はない。
【００１３】
添付図面を参照することにより、本明細書に開示した発明の特別の特徴について説明する。
【発明を実施するための最良の形態】
【００１４】
本発明の金属で形成された像は、金属コーティングを除去したセキュリティデバイス（例えばセキュリティスレッド）およびセキュリティドキュメント（例えば紙幣）の基本的利点を損なうことなく、これらデバイスおよびドキュメントの有効性を高めるものである。フォイル転写およびホットスタンピング技術だけでなく、金属インクプリント技術を注意深く検討することにより、本発明者たちは、これら技術の限定（例えば寸法上のブレークポイント）を決定し、読み取り性と製造上の実現可能性とをバランスさせながら、この情報を使用し、巧妙に模造することが（不可能ではないにしても）困難である、微細に分解される、金属コーティングが除去されたパターンまたは像を設計した。実際に、金属インク、コイル転写またはホットスタンピングによる模造または再生の試みの結果、模造の際にセキュリティデバイスまたはドキュメントの美的外観が損なわれたり、失われたり、または他の態様で完全に破壊されるという点で、（未経験者の裸眼でも）オリジナルの（または真性の）セキュリティデバイスまたはセキュリティドキュメントと模造物とを容易に区別できるようになる。
【００１５】
本発明者たちは、ウィンドー付セキュリティペーパーまたは紙幣において、本発明の金属から形成された像が、光学的反射器として効果的に機能する能力についても検討した。当業者に周知のように、金属層は多数の光学的に可変なデバイス（ＯＶＤおよびＤＯＶＤ）、および干渉フィルタ光学的デバイスにおける光学的反射器として働くことができる。従って、本発明は、金属コーティングが除去された特徴を内蔵しながら、できるだけ多くの金属を保存するためのかかる用途に対して有利であると見なされた。
【００１６】
上記のように、本発明の金属で形成された像は、金属領域と無金属領域とが交互になっている、１つ以上の、ビジブルなパターンを含み、これらパターンは、例えばライン、ドット、渦巻きまたはこれらの組み合わせの、複雑な、または簡単なパターンの形態をとり得る。これらパターンの各構成要素の解像度および間隔は、金属インク、フォイル転写およびホットスタンピング技術による巧妙な模造を防止するように選択される。より詳細には、これら技術を使って、金属で形成された像を模造すると、ビジブルなパターンの金属領域の少なくとも一部の部分から金属インクまたはフォイルが失われたり、および／または架橋したり、リンクしたりすることになる。この結果、模造された像の部分は不明瞭となったり、ぼやけたりする。
【００１７】
本発明の偽造防止像を形成するのに適した金属または金属材料の例として、アルミ（Ａｌ）、クロム（Ｃｒ）、コバルト（Ｃｏ）、銅（Ｃｕ）、金（Ａｕ）、鉄（Ｆｅ）、ニッケル（Ｎｉ）、銀（Ａｇ）または上記材料のうちの２つ以上の合金を挙げることができるが、これらだけに限定されるものではない。好ましい実施例では、金属または金属性材料はアルミである。
【００１８】
金属ラインと無金属ラインとが交互になっている偽造防止像のこれら実施例では、パターン内の無金属ラインの幅は、約０.０５ｍｍ〜約０.１０ｍｍ（好ましくは約０.０６ｍｍ〜約０.０７ｍｍ）の範囲であるが、無金属ラインの頻度は約０.０７ｍｍ〜０.２５ｍｍ、好ましくは０.１６〜０.１７ｍｍの範囲である。
【００１９】
かかる実施例では、金属で形成された像は内部に金属ラインと無金属ラインとが交互に配置された１つ以上のパターンを有するネガ像、すなわち反転像のキャラクター（すなわちシンボル、文字および／または数字）を含む。この実施例では、上記頻度のレンジの下端を下回る（すなわち０.０７ｍｍ未満の）無金属ラインの頻度によって、キャラクターまたはテキストエリアは、金属インクによって製造された偽物と同じようにグレイ状に見えるようになるが、上記頻度のレンジの上端を越える（すなわち０.２５ｍｍより大きい）無金属ラインの頻度によって、キャラクターまたはテキストエリアは、（メリング外に付与された米国特許第4,943,093号に示され、記載されている）従来のネガテキストのように見えるので、金属インクおよびフォイル転写による模造をしやすい。
【００２０】
かかる別の実施例では、金属で形成された像は金属ラインと無金属ラインとが交互に配置された１つ以上のパターンによって形成されたポジキャラクターを含む。この実施例では、０.０７ｍｍを下回る無金属ラインの頻度によって、キャラクターエリアまたはテキストエリアは（ティモシー・Ｔ・クレイン氏に付与された米国特許第4,652,015号に示され、記載されているように）従来のポジテキストのように見えるので、金属インクおよびフォイル転写による模造を、より受けやすいが、０.２５ｍｍを越える無金属ラインの頻度は、キャラクターエリアまたはテキストエリアを視覚的に検出したり、暗号を解くことを困難にする。
【００２１】
金属ドットまたは無金属ドットを内蔵する実施例では、パターン内のドットの半径は約０.０５〜０.１０ｍｍであるが、密度（すなわちインチ当たりのドット数）は、ドットが接触せず、金属インク、フォイル転写およびホットスタンピング技術を使った模造をする気をなくすように、十分接近するように選択される。
【００２２】
本発明の偽造防止像は、単独で、または例えば紙幣または任意のドキュメントの表面上の光学的マークまたは認証目的のための識別手段と組み合わせて、使用できる。かかる意図する実施例では、本発明の像は剥離コーティングされた転写フィルムまたはシート（一般的には剥離コーティングされたポリエステルキャリアフィルム上に設けられた、金属コーティングされたフォイル）に形成され、次に、このフィルムまたはシートから、従来の転写技術を使って紙幣またはその他のセキュリティドキュメントの表面に転写される。かかる別の意図する実施例では、本発明の像は、剥離コーティングされた転写フィルムまたはシート（一般的には剥離コーティングされたポリエステルキャリアフィルムに固定されたホログラフィーフォイル）に含まれる光学的マーク（例えば回折格子、ホログラム構造）に形成され、この結果得られる組み合わせは、フィルムまたはシートからセキュリティドキュメントの表面に転写される。
【００２３】
本発明の偽造防止像は、プラスチックのキャリア基板（例えばセキュリティドストリップまたはスレッド）の表面に剥離不能に、または永久的に形成することもでき、次に紙幣または他のセキュリティドキュメントと共に使用できる。
【００２４】
次に図を詳細に参照すると、本発明のセキュリティデバイスは全体が番号１０で示されており、基本的には、対向する平面状の表面を有するキャリア基板１２と、基板１２の少なくとも一方の表面に設けられた少なくとも１つの金属で形成された像１４を含む。
【００２５】
キャリア基板１２は光を透過するキャリア基板であり、約１２〜約２６ミクロン（好ましくは約１７〜約２１ミクロン）の範囲の厚みを有する。基板１２は、ポリエステル、ポリプロピレン、ポリエチレン、ポリエチレンテレフタレートおよびそれらの混合物の群から選択された１つ以上の、基本的には無色のポリマーを使って形成することが好ましい。より好ましい実施例では、キャリア基板１２はポリエステルフィルムである。
【００２６】
別の好ましい実施例では、キャリア基板１２は有色および／またはルミネッセンスであり、更に別の好ましい実施例では、基板１２は回折格子および／またはホログラム構造のような光学的マークを含む。
【００２７】
上記のほかに、キャリア基板１２は、セキュリティデバイス１０をセキュリティドキュメント、例えばペーパー内またはその上に接合するための接着特性を与えることが好ましい。
【００２８】
図１に示された好ましい実施例では、セキュリティデバイス１０はセキュリティストリップまたスレッドであり、このストリップまたはスレッドは対向する平面状の表面を有するキャリア基板１２と、基板１２の一方の面に位置する少なくとも１つの金属で形成された像１４と、金属で１２の対向する表面に形成されたホログラフィーレリーフパターン（図示せず）とを備える。透過光で見たときの、金属で形成された像１４は、ネガ像または反転像の文字から構成され、この文字は内部に金属ライン１６と、無金属ライン１８とが交互に配置されたパターンを有する。
【００２９】
ホログラフィーレリーフパターンが存在することに起因し、図１Ａおよび１Ｂに最良に示されるように、セキュリティデバイス１０のこの好ましい実施例を反射光のもとで異なる角度から見ると、２つの異なる像が現れる。
【００３０】
別の意図する実施例（図示せず）では、セキュリティデバイス１０はセキュリティストリップまたはスレッドとなっており、このストリップまたはスレッドは表面にホログラフィーレリーフパターンが形成されたキャリア基板と、このホログラフィーレリーフパターンに形成された少なくとも１つの金属形成された像とを備える。
【００３１】
図２は、ホログラフィーレリーフパターンを使用しないセキュリティスレッド１０の好ましい別の実施例を示す。この実施例では、透過光または反射光で見たときの、金属で形成された像１４は、内部に含まれるラインのクロスハッチパターンを有する文字と、細い無金属アウトラインによって囲まれた金属番号とから成る。セキュリティスレッド１０は、基板１２に含まれる金属内に一連の中断部またはブレークポイント２０も示す。米国特許第5,486,022号に記載されているように、これら中断部または金属ブレークポイントによって形成された金属領域のパターンは、機械で読み取り可能なコードを定め、このコードはスレッドを含む紙幣または他のセキュリティドキュメントの真性を証明するための別の手段だけでなく、紙幣の額面を示す手段も提供している。
【００３２】
更に別の好ましい実施例（図示せず）では、像１４は金属ドットのパターンによって形成された文字と番号から成る。
【００３３】
本発明のセキュリティデバイス１０は、追加層、コーティングまたはデバイスも含むことができるが、かかる追加層、コーティングまたはデバイスが金属で形成された像１４によって伝えられる情報および／または信憑性検査デバイスによって見られる信号の視覚的認識を妨害しないことを条件とする。使用しようとする追加層、コーティングまたはデバイスは、磁気層、金属で形成された像１４を拡大し、（およびオプションとして像の回転、直角平行運動および／または見かけの視覚的深さにも影響を与えるように）働く非円筒形レンズの二次元アレイ、光学的に可変なデバイス、干渉フィルタ光学的デバイス、外側保護層、セキュリティドキュメント内への、またはその上への、デバイス１０の組み込みを容易にする、デバイス１０の一方の側または両側に設けられた光透過性接着層と、エオジン、フルオレセイン、ほたる石、フクシン、キニンのサルフェート、硫化カルシウム、サリチル酸ネオジウム、グルコン酸サマリウム、サリチル酸イットリウムおよび同等品から構成された蛍光コーティングを含むが、これらだけに限定されるものではない。
【００３４】
好ましい実施例では、セキュリティデバイス１０は、外側保護層を使用している。この外側保護層は、光透過性保護層であって、この層は約３.０〜約１２.０ミクロン（好ましくは約３.０〜約６.０ミクロン）の範囲の厚みを有する保護フィルムの形態、または約１.０〜約６.０ミクロンの範囲の厚みを有するプリントされたコーティングの形態をとり得る。
【００３５】
より好ましくは、保護層はポリエステル、ポリプロピレン、ポリエチレン、ポリエチレンテレフタレートおよびそれらの混合物の群から選択された１つ以上の基本的には無色のポリマーを使って形成される。最も好ましい実施例では、保護層はラミネートされたポリエステルフィルムである。
【００３６】
より好ましい別の実施例では、保護層はカラーおよび／またはルミネッセントの層であり、より好ましい更に別の実施例では、保護層はセキュリティデバイス１０をペーパー内またはその上に接合するための接着特性を与えるものである。
【００３７】
外側保護層は、上記光透過性接着剤を使用することにより、金属層にラミネートしてもよい。
【００３８】
従来の技術を使ってセキュリティデバイス１０を製造できる。例えば図１に示されるセキュリティスレッドは、
ａ）ポリマー（例えばポリエステル）フィルムの１つの表面にレリーフパターンをエンボス加工またはコーティングし、
ｂ）ポリマーフィルムの反対の表面を金属（例えばアルミ）の層でコーティングし、
ｃ）（各ネガまたは反転像の文字内の）無金属ライン１８を形成すべき場所を除き、金属層をレジスト材料でコーティングし、
ｄ）無金属ライン１８が不透明の反射金属表面内で透明領域となるように、レジストによって保護すべき場所を除き、金属層を除去するように、プリントされた金属層に化学薬品を塗布することにより製造できる。
【００３９】
別の例では、金属で形成された像１４が金属領域と無金属領域が交互に位置するパターン、（例えばライン、ドット、渦巻きまたはそれらの組み合わせ）により形成されたポジ像のキャラクターを含むとき、最終スレッドにおいて、パターンの金属領域を表すべき領域内だけの金属層を保護するように、レジストで金属層をコーティングする。
【００４０】
このレジストはプリントプロセス、例えばフレキソプリンティング、ロトグラビアまたはシルクスクリーンにより塗布することが好ましい。
【００４１】
上記のように、金属インク、フォイル転写またはホットスタンピング技術を使って、本発明のセキュリティデバイス１０を模造しようと試みる結果、（未訓練者の裸眼でも）模造品と元のデバイスとを容易に区別できるようになる。フォイル転写またはホットスタンピング技術を使って図１のセキュリティスレッドを模造しようとする試みの図である図３に最良に示されるように、各文字内のパターンの微細な金属ラインを金属で架橋することにより、スレッドの美的外観が損なわれる。このような影響は、フォイルをクリーンに転写する能力がないことから生じるものである。
【００４２】
本発明のセキュリティドキュメントはセキュリティペーパーおよびセキュリティデバイス１０であることが好ましく、このセキュリティデバイスはペーパー内に全体が、または一部が埋め込まれたセキュリティスレッドの形態をしていることが好ましい。一部が埋め込まれたスレッドでは、その一部がペーパー内のウィンドーまたは開口部にあるスレッドの長手方向に沿って、離間したインターバルでペーパーの表面に露出する。
【００４３】
上で詳しく述べたように、セキュリティスレッド１０は、製紙業界で一般に使用されている技術により、製造中にセキュリティペーパー内に少なくとも一部を混入できる。例えば本発明のスレッド１０をシリンダモールドの制止機械、シリンダバットマシンまたは公知のタイプの同様な機械に送り込むと、その結果、仕上がったペーパーの本体内にスレッド全体または一部が埋め込まれることになる。
【００４４】
上記の他に、本発明のセキュリティデバイス１０は、製造中または製造後のいずれかにおいて、セキュリティペーパーの表面に取り付けできる。デバイス１０の取り付けは、デバイス１０の表面に感圧接着剤を塗布し、ペーパーの表面にデバイス１０をプレスする方法、およびデバイス１０の表面に熱活性された接着剤を塗布し、熱転写技術を使ってデバイス１０をペーパーの表面に張り付ける方法を含む任意の数の公知の技術により達成できる。
【００４５】
以上で、本発明の種々の実施例について説明したが、これら実施例は単なる例として示したものであり、発明を限定するために示したものではない。従って、本発明の範囲は実施例のいずれによっても限定すべきではない。
【図面の簡単な説明】
【００４６】
【図１】内部に金属ラインと無金属ラインが混在したパターンを有するネガ像または反転像の文字を示す、透過光で見た拡大スケールの本発明に係わるセキュリティスレッドの好ましいホログラフィーの実施例の頂部平面図である。
【図１Ａ】反射光で異なる角度で見たときのスレッドの外観の細部を示す拡大スケールの図１のセキュリティスレッドの部分平面図である。
【図１Ｂ】反射光で異なる角度で見たときのスレッドの外観の細部を示す拡大スケールの図１のセキュリティスレッドの部分平面図である。
【図２】内部にラインのクロスハッチパターンが混入された文字および細かい無金属アウトラインで囲まれた金属の番号を示す透過光または反射光で見た、本発明のセキュリティスレッドの別の好ましい実施例の平面図である。
【図３】従来のフォイル転写またはホットスタンピング技術を使って図１のセキュリティスレッドを模造しようとする試みの図である。
【符号の説明】
【００４７】
１０    セキュリティデバイス
１２    キャリア基板
１４    金属で形成された像
１６    金属ライン
１８    無金属ライン
２０    中断部またはブレークポイント
【図１】
2007531650.tif 000003
【図１Ａ】
2007531650.tif 000004
【図１Ｂ】
2007531650.tif 000005
【図２】
2007531650.tif 000006
【図３】
2007531650.tif 000007
【手続補正書】
【提出日】平成17年9月26日(2005.9.26)
【手続補正１】
【補正対象書類名】特許請求の範囲
【補正対象項目名】全文
【補正方法】変更
【補正の内容】
【特許請求の範囲】
【請求項１】
紙幣のようなセキュリティドキュメントの表面またはセキュリティドキュメントの上または内部で使用されるキャリア基板の表面で使用するのに適した、金属で形成された偽造防止像であって、前記金属で形成された像が、  （ａ）キャラクター内部に混入され、交互に位置する金属ラインと無金属ラインの１つ以上の微細に分解される可視パターンを有する、固体金属の境界によって構成されるネガ像または反転像のキャラクターと、  （ｂ）交互に位置する金属ラインと無金属ラインとの１つ以上の微細に分解される可視パターンによって形成されるポジキャラクターと、  （ｃ）両者の組み合わせの群から選択されたキャラクターとを備え、  金属インクプリント、フォイル転写またはホットスタンピング技術を使って、金属で形成された前記像を模造すると、インクまたはフォイルが架橋し、および／または前記１つ以上の可視パターンのうちの金属ラインの少なくとも一部の部分からインクまたはフォイルが失われる、金属で形成された偽造防止像。
【請求項２】
１つ以上の可視パターンが交互に位置する金属ラインと、無金属ラインとを備え、無金属ラインは、約０.０５〜約０.１０ｍｍの幅、および１ｍｍ当たり約４本〜約１４本のラインの頻度を有する、請求項１記載の金属で形成された偽造防止像。
【請求項３】
１つ以上の可視パターンが、交互に位置する金属ラインと、無金属ラインとを備え、無金属ラインは、約０.０６〜約０.０７ｍｍの幅、および１ｍｍ当たり約５本〜約６本のラインの幅の頻度を有する、請求項２記載の金属で形成された偽造防止像。
【請求項４】
金属で形成された像の１つ以上の微細に分解される可視パターンの金属領域が、アルミ、クロム、コバルト、銅、金、鉄、ニッケル、銀およびそれらの合金の群から選択された、１つ以上の金属を使用して形成された、請求項１記載の金属で形成された偽造防止像。
【請求項５】
アルミを使って金属ラインを形成した、請求項７記載の金属で形成された偽造防止像。
【請求項６】
対向する平面状の表面を有するキャリア基板と、該基板の少なくとも一方の表面に位置する、請求項１記載の金属で形成された少なくとも１つの偽造防止像とを備えたセキュリティデバイス。
【請求項７】
キャリア基板が、ポリエステル、ポリプロピレン、ポリエチレン、ポリエチレンテレフタレートおよびそれらの組み合わせの群から選択された基本的には無色の１つ以上のポリマーを使って形成された光透過性キャリア基板である、請求項６記載のセキュリティデバイス。
【請求項８】
キャリア基板が、ポリエステルフィルムである、請求項７記載のセキュリティデバイス。
【請求項９】
キャリア基板が、カラーのキャリア基板である、請求項７記載のセキュリティデバイス。
【請求項１０】
キャリア基板が、ルミネッセンスのキャリア基板である、請求項７記載のセキュリティデバイス。
【請求項１１】
キャリア基板が、１つ以上の光学的マークを含む、請求項１１記載のセキュリティデバイス。
【請求項１２】
対向する平面状の表面を有するキャリア基板と、該基板の１つの表面に位置する、金属で形成された少なくとも１つの偽造防止像と、前記基板の反対の表面に形成されたホログラフィーレリーフパターンを備え、セキュリティストリップまたはスレッドの形態をした、請求項１１記載のセキュリティデバイス。
【請求項１３】
対向する平面状の表面を有するキャリア基板と、該キャリア基板の少なくとも一方の表面に形成されたホログラフィーレリーフパターンと、該ホログラフィーレリーフパターンに位置する、金属で形成された少なくとも１つの偽造防止像とを備え、セキュリティストリップまたはスレッドの形態をした、請求項１１記載のセキュリティデバイス。
【請求項１４】
対向する平面状の表面を有するキャリア基板と、該基板の一方の表面に位置する、金属で形成された少なくとも１つの偽造防止像と、前記基板の反対の表面に位置するマイクロレンズの二次元アレイとを備えた、セキュリティストリップまたはスレッドの形態をした、請求項１１のセキュリティデバイス。
【請求項１５】
ある長さおよび幅を有するセキュリティストリップまたはスレッドの形態をしており、対向する平面状の表面を有するキャリア基板と、ストリップまたはスレッドの長手方向に沿って延びる複数の金属領域とを備え、前記金属領域がセキュリティストリップまたはスレッドの全幅にわたって延びる非金属領域によって分離されており、更に１つ以上の金属領域および／または１つ以上の非金属領域内に位置する金属で形成された少なくとも１つの偽造防止像とを備えた、請求項６記載のセキュリティデバイス。
【請求項１６】
少なくとも１つの外側保護層を更に備えた、請求項６記載のセキュリティデバイス。
【請求項１７】
対向する平面状の表面およびある幅を有するキャリア基板と、該基板の少なくとも１つの表面に位置する、金属で形成された少なくとも１つの偽造防止像とを備え、金属で形成された像が、交互に配置された金属領域と無金属領域との１つ以上の微細に分解される可視パターンを備えたセキュリティデバイスを調製するための方法であって、  ａ）前記キャリア基板の１つの表面に金属層を貼付するステップと、  ｂ）ｉ．前記金属で形成された少なくとも１つの偽造防止像が、金属の境界によって構成されたネガ像、すなわち反転像のキャラクターを備え、該キャラクターが、内部に金属領域と無金属領域が交互に位置する、１つ以上の微細に分解される可視パターンを有し、前記１つ以上の微細に分解される可視パターンのうちの無金属領域およびオプションとしての前記キャリア基板の幅にわたって延びる中断部、すなわち金属ブレークポイントを基板に形成すべき場所を除き、前記金属層をレジスト材料でコーティングするとき、および      ｉｉ．金属で形成される少なくとも１つの偽造防止像が、金属領域と無金属領域とが交互に位置する１つ以上の微細に分解される可視パターンによって形成されるポジキャラクターを含み、１つ以上の微細に分解される可視パターンの金属領域を基板に形成すべき領域だけで、金属層をレジスト材料でコーティングするときに、レジスト材料によって金属層をコーティングするステップと、  ｃ）前記レジスト層によって保護する部分を除く金属層を除去するように、プリントされた金属層に化学薬品を塗布するステップを備えた、セキュリティデバイスを調製するための方法。
【請求項１８】
セキュリティドキュメント上またはその内部に位置する、請求項１記載の金属で形成された少なくとも１つの偽造防止像を有するセキュリティドキュメント。
【請求項１９】
セキュリティドキュメントが、２つの対向する表面を有し、セキュリティドキュメントが少なくとも１つの表面に塗布された１つ以上の光学的マークと、１つ以上の前記光学的マークに形成された金属で形成された少なくとも１つの偽造防止像とを含む、請求項１８記載のセキュリティドキュメント。
【請求項２０】
前記１つ以上の光学的マークが、回折格子、ホログラム構造およびそれらの組み合わせの群から選択されたものである、請求項１９記載のセキュリティドキュメント。
【請求項２１】
前記１つ以上の光学的マークが、ホログラフィーフォイルである、請求項２０記載のセキュリティドキュメント。
【請求項２２】
内部に少なくとも一部が埋め込まれたか、または上部に取り付けられた、少なくとも１つのセキュリティデバイスを備え、少なくとも１つのセキュリティデバイスが、対向する平面状の表面を有するキャリア基板と、該キャリア基板の少なくとも１つの表面に位置する、金属で形成された少なくとも１つの偽造防止像とを備えた、請求項１８記載のセキュリティドキュメント。
【国際調査報告】
2007531650.tif 000008
2007531650.tif 000009
2007531650.tif 000010
2007531650.tif 000011
2007531650.tif 000012